(57)【特許請求の範囲】
【請求項１】
バッテリーを備える通信端末であって、
通信相手の端末である通信相手端末との通信を行う通信手段と、
前記通信相手又は通信の時間帯を示す情報に対応付けて通信時間を示す情報を含む通信履歴を蓄積する履歴記憶手段と、
バッテリー残量を検出するバッテリー残量検出手段と、
前記通信手段によって行われている通信に係る前記通信相手の前記通信履歴又は前記通信手段によって行われている通信の時間帯の前記通信履歴に基づいて、前記通信手段によって行われている通信に必要なバッテリー必要量を予測するバッテリー必要量予測手段と、
前記バッテリー必要量予測手段によって予測されたバッテリー必要量よりも、前記バッテリー残量検出手段によって検出されたバッテリー残量が少ない場合に、前記通信手段によって行われている通信の前記通信相手端末に前記バッテリーに関する通知を行う通知手段と、
を備える通信端末。
【請求項２】
前記バッテリー必要量予測手段は、前記通信手段によって発着信が行われる際に、前記バッテリー必要量を予測することを特徴とする請求項１に記載の通信端末。
【請求項３】
前記バッテリー必要量予測手段は、通信環境を示す通信環境情報に基づいて、前記バッテリー必要量を予測することを特徴とする請求項１又は２に記載の通信端末。
【請求項４】
前記通知手段は、前記バッテリー必要量予測手段によって予測されたバッテリー必要量と比較して、前記バッテリー残量検出手段によって検出されたバッテリー残量が少ない場合に、通信可能時間を通知することを特徴とする請求項１〜３のいずれか一項に記載の通信端末。
【請求項５】
前記通知手段は、前記バッテリー残量検出手段によって検出されたバッテリー残量が所定の値より小さい場合に、前記通信相手端末にバッテリー不足を通知することを特徴とする請求項１〜４のいずれか一項に記載の通信端末。
【請求項６】
前記通信相手端末を登録する端末登録手段をさらに備え、
前記通信相手端末が前記端末登録手段に登録されていない場合、未登録端末として前記履歴記憶手段に通信履歴が蓄積され、
前記バッテリー必要量予測手段は、前記通信相手端末が前記端末登録手段に登録されていない場合、前記未登録端末の通信履歴に基づいて、前記バッテリー必要量を予測することを特徴とする請求項１〜５のいずれか一項に記載の通信端末。
【請求項７】
前記バッテリー必要量予測手段は、前記通信手段によって通信が行われていない場合、現在時刻が属する時間帯の前記通信履歴に基づいて、通信が行われた場合に必要となるバッテリー必要量を予測することを特徴とする請求項１に記載の通信端末。
【請求項８】
通信相手又は通信の時間帯を示す情報に対応付けて通信履歴を蓄積する履歴記憶手段と、バッテリーと、を備える通信端末による通知方法であって、
前記通信相手の端末である通信相手端末との通信を行う通信ステップと、
バッテリー残量を検出するバッテリー残量検出ステップと、
前記通信ステップにおいて行われている通信に係る前記通信相手の前記通信履歴又は前記通信ステップにおいて行われている通信の時間帯の前記通信履歴に基づいて、前記通信ステップにおいて行われている通信に必要なバッテリー必要量を予測するバッテリー必要量予測ステップと、
前記バッテリー必要量予測ステップにおいて予測されたバッテリー必要量よりも、前記バッテリー残量検出ステップにおいて検出されたバッテリー残量が少ない場合に、前記通信ステップにおいて行われている通信の前記通信相手端末に前記バッテリーに関する通知を行う通知ステップと、
を備える通知方法。
【発明の詳細な説明】
【技術分野】
【０００１】
本発明は、バッテリーを備える通信端末及び通知方法に関する。
【背景技術】
【０００２】
携帯電話機等の通信端末において、通話中にバッテリーの残量がなくなり、通話が切断されてしまうことがある。このような場合、通話相手にもバッテリーが回復するまで通話が切断された理由を伝えることができない。このため、通話が突然切断されないように、電池残量に基づいて通話可能時間を算出し、通話可能時間に応じて通知を行う携帯端末が知られている（例えば、特許文献１参照）。
【先行技術文献】
【特許文献】
【０００３】
【特許文献１】特開２０００−１９６７１４号公報
【発明の概要】
【発明が解決しようとする課題】
【０００４】
上記特許文献１に開示された携帯端末では、電池の残量から算出した通話可能時間と、平均通話時間とを比較して警告を行っている。しかしながら、通話相手又は通話時間帯によって通話時間は異なる場合があるため、上記特許文献１に開示された携帯端末では、適切に警告を行うことができない。例えば、通話相手が親しい人である場合、通話時間が長くなることがある。また、午前中は時間的なゆとりがないため、通話時間が短くなることがある。上記特許文献１に開示された携帯端末では、全通話の平均通話時間を算出しているため、上記のように通話相手又は通話時間帯を考慮した警告を行うことができない。
【０００５】
そこで本発明は、このような問題点を解決するために、より適切にバッテリーに関する通知を行う通信端末及び通知方法を提供することを目的とする。
【課題を解決するための手段】
【０００６】
上記課題を解決するため、本発明の通信端末は、バッテリーを備える通信端末であって、通信相手の端末である通信相手端末との通信を行う通信手段と、通信相手又は通信の時間帯を示す情報に対応付けて通信時間を示す情報を含む通信履歴を蓄積する履歴記憶手段と、バッテリー残量を検出するバッテリー残量検出手段と、通信手段によって行われている通信に係る通信相手の通信履歴又は通信手段によって行われている通信の時間帯の通信履歴に基づいて、通信手段によって行われている通信に必要なバッテリー必要量を予測するバッテリー必要量予測手段と、バッテリー必要量予測手段によって予測されたバッテリー必要量よりも、バッテリー残量検出手段によって検出されたバッテリー残量が少ない場合に、通信手段によって行われている通信の通信相手端末にバッテリーに関する通知を行う通知手段と、を備えることを特徴とする。
【０００７】
本発明の通知方法は、通信相手又は通信の時間帯を示す情報に対応付けて通信履歴を蓄積する履歴記憶手段と、バッテリーと、を備える通信端末による通知方法であって、通信相手の端末である通信相手端末との通信を行う通信ステップと、バッテリー残量を検出するバッテリー残量検出ステップと、通信ステップにおいて行われている通信に係る通信相手の通信履歴又は通信ステップにおいて行われている通信の時間帯の通信履歴に基づいて、通信ステップにおいて行われている通信に必要なバッテリー必要量を予測するバッテリー必要量予測ステップと、バッテリー必要量予測ステップにおいて予測されたバッテリー必要量よりも、バッテリー残量検出ステップにおいて検出されたバッテリー残量が少ない場合に、通信ステップにおいて行われている通信の通信相手端末にバッテリーに関する通知を行う通知ステップと、を備えることを特徴とする。
【０００８】
本発明によれば、通信相手又は通信の時間帯ごとの通信履歴に基づいて通信に必要なバッテリー必要量を予測し、予測したバッテリー必要量に基づいて通知を行うことができる。従って、例えば、通信相手によって通信時間が異なる傾向がある場合に、通信相手に応じて通信に要するバッテリー必要量を予測し、予測したバッテリー必要量に基づいて、バッテリー不足などの通知を行うことができる。また、例えば、時間帯によって通信時間が異なる傾向がある場合に、通信時間帯に応じて通信に要するバッテリー必要量を予測し、予測したバッテリー必要量に基づいて、バッテリー不足などの通知を行うことができる。このため、本発明によれば、より適切にバッテリーに関する通知を行うことができる。
【０００９】
また、本発明の通信端末において、バッテリー必要量予測手段は、通信手段によって発着信が行われる際に、バッテリー必要量を予測するのが好ましい。この構成によれば、発着信を行う際にその発着信に係る通話に要するバッテリー必要量を予測し、予測したバッテリー必要量に基づいて、バッテリー不足などの通知を行うことができる。このため、発着信時に予めバッテリー不足などの通知を行うことができる。
【００１０】
また、本発明の通信端末において、バッテリー必要量予測手段は、通信環境を示す通信環境情報に基づいて、バッテリー必要量を予測するのが好ましい。この構成によれば、通信環境に応じて通話に必要なバッテリー必要量を予測することができる。従って、例えば、電波状況および環境温度などがバッテリーに及ぼす影響を考慮して、通信に必要なバッテリー必要量を予測することができる。
【００１１】
また、本発明の通信端末において、通知手段は、バッテリー必要量予測手段によって予測されたバッテリー必要量と比較して、バッテリー残量検出手段によって検出されたバッテリー残量が少ない場合に、通信可能時間を通知するのが好ましい。この構成によれば、通信に要するバッテリー必要量よりバッテリー残量が少ない場合に、ユーザに通信可能時間を認識させることができる。従って、ユーザに通信可能時間を意識させて通信を行わせることが可能となる。
【００１２】
また、本発明の通信端末において、通知手段は、バッテリー残量検出手段によって検出されたバッテリー残量が所定の値より小さい場合に、通信相手端末にバッテリー不足を通知するのが好ましい。この構成によれば、バッテリー残量不足により通信が切断される前に、通信相手端末にバッテリー不足を通知することができる。このため、バッテリー不足により通信が切断されたとしても、通信相手に切断理由を予め知らせておくことが可能となる。
【００１３】
また、本発明の通信端末において、通信相手端末を登録する端末登録手段をさらに備え、通信相手端末が端末登録手段に登録されていない場合、未登録端末として履歴記憶手段に通信履歴が蓄積され、バッテリー必要量予測手段は、通信相手端末が端末登録手段に登録されていない場合、未登録端末の通信履歴に基づいて、バッテリー必要量を予測するのが好ましい。通信相手端末が未登録の場合、通信履歴が蓄積されていない場合があるが、この構成によれば、未登録の通信相手端末全体の通信履歴に基づいて、未登録の通信相手端末との通信に必要なバッテリー必要量を予測することができる。このため、通信相手に係る通信履歴が蓄積されていなかったとしても、通信に必要なバッテリー必要量を予測することができる。
【００１４】
また、本発明の通信端末において、バッテリー必要量予測手段は、通信手段によって通信が行われていない場合、現在時刻が属する時間帯の通信履歴に基づいて、通信が行われた場合に必要となるバッテリー必要量を予測するのが好ましい。この構成によれば、非通信時において、通信が行われた場合のバッテリー必要量を予測し、予測したバッテリー必要量に基づいて、バッテリー不足などの通知を行うことができる。従って、例えば、２１時以降に長時間通信を行う傾向がある場合に、通信途中で電源が切断されないように、非通信時に予めバッテリー不足などの通知を行っておくことができる。
【発明の効果】
【００１５】
本発明によれば、より適切にバッテリーに関する通知を行うことができる。
【図面の簡単な説明】
【００１６】
【図１】本発明の実施形態に係る通信端末の機能構成を示すブロック図である。
【図２】本発明の実施形態に係る通信端末のハードウェア構成を示すブロック図である。
【図３】通信端末が蓄積している通信ログの一例を示す図である。
【図４】通信端末が算出した平均通信時間の一例を示す図である。
【図５】（ａ）は通信端末の発信の一例を示す図、（ｂ）は通信端末の着信の一例を示す図である。
【図６】本発明の実施形態に係る通信端末の通信ログ蓄積処理を示すフローチャートである。
【図７】本発明の実施形態に係る通信端末の通信開始時の通知処理を示すフローチャートである。
【図８】本発明の実施形態に係る通信端末のバッテリー不足時の通知処理を示すフローチャートである。
【発明を実施するための形態】
【００１７】
以下、図面を参照して、本発明に係る通信端末及び通知方法の好適な実施形態について詳細に説明する。なお、図面の説明においては同一要素には同一符号を付し、重複する説明を省略する。
【００１８】
図１は、本発明の実施形態に係る通信端末１の機能構成を示すブロック図である。通信端末１は、例えば携帯電話機であって、バッテリーで動作し、移動体通信等の通信機能を備えている装置である。後述するように、通信端末１は、通信に要するバッテリー必要量を予測し、バッテリー残量との比較結果に応じた通知を行う。具体的には、通信端末１は、通信ログ（通信履歴）に基づいて、通信に要するバッテリー必要量を予測し、バッテリー残量より大きい場合に、通信可能時間等の通知を行う。
【００１９】
図２は、通信端末１のハードウェア構成を示すブロック図である。図２に示すように、通信端末１は、物理的には、ＣＰＵ（Central  Processing  Unit）１０１、主記憶装置であるＲＡＭ（Random  Access  Memory）１０２及びＲＯＭ１０３（Read  Only  Memory)、ハードディスク装置等の補助記憶装置１０４、他の通信端末との間で通信ネットワークを介したデータの送受信を行う通信モジュール１０５、通信端末１に電力を供給するバッテリー１０６、入力デバイスである入力キー、マイクロフォン等の入力装置１０７、出力デバイスであるディスプレイ、スピーカ等の出力装置１０８、通信端末１の周囲温度を検出する温度センサ、通信端末１の電波状況を検出する電波センサ等の検出装置１０９等のハードウェアにより構成されている。
【００２０】
後述する通信端末１の各機能は、図２に示すＣＰＵ１０１、ＲＡＭ１０２等のハードウェア上に所定のコンピュータソフトウェアを読み込ませることにより、ＣＰＵ１０１の制御のもとで通信モジュール１０５、入力装置１０７、出力装置１０８、検出装置１０９等を動作させるとともに、ＲＡＭ１０２や補助記憶装置１０４におけるデータの読み出し及び書き込みを行うことで実現される。
【００２１】
続いて、通信端末１の各機能について説明する。図１に示すように、通信端末１は、通信部１１と、通信ログ記憶部１３と、バッテリー必要量予測部１５と、バッテリー残量検出部１６と、通知部１７と、を備えて構成されている。なお、通信端末１は、上記機能以外にも通常の携帯電話機としての機能を備えてもよい。また、通信端末１は、電話帳登録部１２と、通信情報生成部１４と、をさらに備えてもよい。
【００２２】
通信部１１は、通信相手の端末である通信相手端末との通信を行う通信手段として機能する。通信部１１は、例えば、指定された通信相手端末に対して発信を行い、又は、所定の通信相手端末からの着信を受け付けて、通信相手端末との通信（通話）を行う。
【００２３】
電話帳登録部１２は、通信相手端末を登録する端末登録手段として機能する。具体的には、電話帳登録部１２は、通信相手端末の所有者の名前と、通信相手端末の電話番号等といった通信相手端末の固有情報とを関連付けて登録情報として記憶している、いわゆる電話帳機能である。この登録情報は、ユーザが入力装置１０７を操作することで入力され、登録される。
【００２４】
通信ログ記憶部１３は、通信相手又は通信の時間帯を示す情報に対応付けて通信時間を示す情報を含む通信ログを蓄積する履歴記憶手段として機能する。具体的には、通信ログ記憶部１３は、通信部１１によって行われた通信に関する情報を、通信相手又は通信の時間帯ごとに通信ログとして蓄積している。通信ログは、少なくとも通信時間（通話時間）を示す情報である通信時間情報を含み、例えば、通信時間帯（通話時間帯）（曜日）を示す情報である通信時間帯情報、通信（通話）時の周囲温度を示す情報である温度情報、通信（通話）時の電波状況を示す情報である電波情報等をさらに含んでもよい。
【００２５】
通信時間情報は、例えば、通信端末１に備えられた計時装置（不図示）によって、通信部１１が通信を開始してから終了するまでの時間を計測することで取得される。通信時間帯情報は、例えば、通信端末１に備えられた計時装置によって、通信部１１が通信を行った時間帯を計測することで取得される。温度情報は、検出装置１０９（例えば、温度センサ）によって取得される。電波情報は、検出装置１０９（例えば、電波センサ）によって取得される。
【００２６】
そして、通信ログ記憶部１３は、通信部１１によって行われた通信に係る通信相手端末が電話帳登録部１２に登録されているか否かを判断する。電話帳登録部１２に登録されている場合には、通信ログ取得更新部１６は、取得した各情報を電話帳登録者（通信相手）ごとに通信ログ記憶部１３に蓄積する。一方、電話帳登録部１２に登録されていない場合には、未登録者（未登録端末）として各情報を通信ログ記憶部１３に蓄積する。なお、通信ログ記憶部１３は、通信時間帯ごとに通信ログを蓄積してもよい。
【００２７】
図３は、通信ログ記憶部１３に蓄積されている通信ログの一例を示す図である。通信ログＬ１は、通信相手がＡ、通話時間が３０分２０秒、通話時間帯が２０１１年１月１日（土曜日）の２２時２５分から２２時５５分までの時間帯、通話時の温度が平均５℃、通話時の電波状況が２０分間強レベルで１０分２０秒間弱レベルであったことを示している。通信ログＬ２は、通信相手がＢ、通話時間が５分４０秒、通話時間帯が２０１１年１月５日（水曜日）の７時００分から７時０５分までの時間帯、通話時の温度が平均７℃、通話時の電波状況が５分４０秒間強レベルであったことを示している。通信ログＬ３は、通信相手が電話帳登録部１２に登録されていない未登録者、通話時間が４分１０秒、通話時間帯が２０１１年１月７日（金曜日）の１７時００分から１７時０４分までの時間帯、通話時の温度が平均１１℃、通話時の電波状況が４分１０秒間強レベルであったことを示している。
【００２８】
通信情報生成部１４は、通信ログ記憶部１３に記憶されている通信ログに基づいて、後述のバッテリー必要量を予測するために必要な通信情報を生成する通信情報生成手段として機能する。通信情報生成部１４は、例えば、通信情報として平均通信時間を算出する。通信情報生成部１４は、平均通信時間の算出を、通信に関する情報が通信ログ記憶部１３に蓄積された後すぐに行ってもよいし、予め決められた周期（例えば、２４時間周期）で行ってもよい。以下に、平均通信時間の算出方法について説明する。
【００２９】
通信情報生成部１４は、通信ログ記憶部１３から通信相手ごとに通信ログの通信時間を読み出し、その平均を算出して通信相手ごとの平均通信時間とする。なお、通信情報生成部１４は、各時間帯（例えば、１時間単位）における通信相手ごとの通信時間の平均を算出して、各時間帯における通信相手ごとの平均通信時間としてもよい。また、通信情報生成部１４は、通信ログ記憶部１３から時間帯ごとの通信ログの通信時間を読み出し、各時間帯における通信相手全体に対する平均通信時間を算出してもよい。
【００３０】
さらに、通信情報生成部１４は、電話帳登録部１２に登録されていない未登録者の通信ログの通信時間を読み出し、未登録者全体の平均通信時間を算出してもよい。また、通信情報生成部１４は、各時間帯における未登録者全体の平均通信時間を算出してもよい。通信情報生成部１４は、上述した平均通信時間のいずれか又は全てを算出し、その平均通信時間を示す情報を保持している。
【００３１】
図４は、通信情報生成部１４によって算出された平均通信時間の一例を示す図である。平均通信時間ＴＡは、通信相手Ａとの平均通話時間であって、７時〜８時の時間帯で１２分１２秒、８時〜９時の時間帯で１分１４秒であることを示している。平均通信時間Ｔａｌｌは、全通信相手との平均通話時間であって、７時〜８時の時間帯で１分１２秒、８時〜９時の時間帯で３分１４秒であることを示している。
【００３２】
バッテリー必要量予測部１５は、通信部１１によって行われる通信に係る通信相手の通信情報又は通信部１１によって行われる通信の時間帯の通信情報に基づいて、通信に必要なバッテリー必要量を予測するバッテリー必要量予測手段として機能する。バッテリー必要量予測部１５は、バッテリー必要量を示す情報を通知部１７に送信する。以下に、バッテリー必要量の予測方法を説明する。
【００３３】
バッテリー必要量予測部１５は、通信相手との平均通信時間を示す情報を通信情報生成部１４から取得する。そして、バッテリー必要量予測部１５は、通信相手との平均通信時間を予想通信時間とする。次に、バッテリー必要量予測部１５は、バッテリーの最大容量に対する１％あたりの通信可能時間（以下、単に「バッテリー１％あたりの通信可能時間」という。）に基づいて、通信に必要なバッテリー必要量を予測する。バッテリー必要量予測部１５は、例えば、以下の式（１）を用いてバッテリー必要量を予測する。
P=τ/T…(1)
【００３４】
なお、式（１）において、Ｐはバッテリー必要量、τは予想通信時間、Ｔはバッテリー１％あたりの通信可能時間を示す。このバッテリー１％あたりの通信可能時間Ｔは、予めバッテリー必要量予測部１５に設定されている。例えば、バッテリー１％あたりの通信可能時間Ｔが１２０秒に設定されているとすると、予想通信時間τが２０分の場合、バッテリー必要量Ｐは１０％と予測される。
【００３５】
通信情報生成部１４が各時間帯における通信相手ごとの平均通信時間を保持している場合には、バッテリー必要量予測部１５は、通信部１１によって行われる通信がいずれの時間帯に属するかを判定し、判定した時間帯に対応する通信相手との平均通信時間を通信情報生成部１４から取得してもよい。そして、バッテリー必要量予測部１５は、取得した平均通信時間を予想通信時間としてもよい。
【００３６】
通信情報生成部１４が各時間帯における通信相手全体に対する平均通信時間を保持している場合には、バッテリー必要量予測部１５は、通信部１１によって行われる通信がいずれの時間帯に属するかを判定し、判定した時間帯に対応する平均通信時間を取得してもよい。そして、バッテリー必要量予測部１５は、取得した平均通信時間を予想通信時間としてもよい。
【００３７】
なお、バッテリー必要量予測部１５は、通信ログに基づいて、バッテリー１％あたりの通信可能時間を算出し、設定してもよい。例えば、通信ログ記憶部１３は、通信開始前のバッテリー残量と通信終了後のバッテリー残量とをさらに含む通信ログを蓄積する。そして、バッテリー必要量予測部１５は、通信ログから取得した通信時間と通信前後のバッテリー残量の差分とに基づいて、バッテリー１％あたりの通信可能時間を算出してもよい。
【００３８】
また、バッテリー必要量予測部１５は、通信環境を示す通信環境情報に基づいて、バッテリー必要量を予測してもよい。具体的に説明すると、バッテリー必要量予測部１５は、温度センサにより検出した通信端末１の周囲温度、電波センサにより検出した通信端末１の電波状況等の通信環境の影響を考慮して、バッテリー１％あたりの通信可能時間を補正し、補正した通信可能時間からバッテリー必要量を予測してもよい。以下に、バッテリー１％あたりの通信可能時間の補正方法を説明する。
【００３９】
バッテリー必要量予測部１５は、例えば、常温（例えば、２０℃）のバッテリー１％あたりの通信可能時間を基準として、周囲温度の影響度に基づいて、通信可能時間の補正を行う。この常温のバッテリー１％あたりの通信可能時間は、予めバッテリー必要量予測部１５に設定されている。また、周囲温度の影響度は、常温のバッテリー１％あたりの通信可能時間を補正する温度補正係数として、周囲温度ごとに予めバッテリー必要量予測部１５に設定されている。
【００４０】
例えば、通信端末１の周囲温度が５〜１０℃の温度補正係数は、１５％減、すなわち０．８５に設定されている。通信端末１の周囲温度が０〜５℃の温度補正係数は、２０％減、すなわち０．８に設定されている。常温のバッテリー１％あたりの通信可能時間が、例えば１５０秒に設定されているとすると、周囲温度が５〜１０℃、０〜５℃でのバッテリー１％あたりの通信可能時間はそれぞれ、１２７．５秒、１２０秒となる。
【００４１】
なお、バッテリー必要量予測部１５は、通信ログに基づいて、温度補正係数を算出し、設定してもよい。例えば、通信ログ記憶部１３は、通信開始前のバッテリー残量と通信終了後のバッテリー残量とをさらに含む通信ログを蓄積する。そして、バッテリー必要量予測部１５は、通信ログから取得した通信時間と、通信時の周囲温度、通信前後のバッテリー残量の差分とに基づいて、温度補正係数を算出してもよい。
【００４２】
また、バッテリー必要量予測部１５は、例えば、電波状況が強レベルのバッテリー１％あたりの通信可能時間を基準として、電波状況の影響度に基づいて、通信可能時間の補正を行ってもよい。この電波状況が強レベルのバッテリー１％あたりの通信可能時間は、予めバッテリー必要量予測部１５に設定されている。また、電波状況の影響度は、電波状況が強レベルのバッテリー１％あたりの通信可能時間を補正する電波補正係数として、電波レベルごとに予めバッテリー必要量予測部１５に設定されている。
【００４３】
例えば、通信端末１の電波状況が中レベル（ディスプレイに表示されるアンテナが２本）の電波補正係数は、１１％減、すなわち０．８９に設定されている。通信端末１の電波状況が弱レベル（アンテナ１本）の電波補正係数は、３１％減、すなわち０．６９に設定されている。電波状況が強レベルでのバッテリー１％あたりの通信可能時間が、例えば１８０秒に設定されているとすると、電波状況が中レベル、弱レベルでのバッテリー１％あたりの通信可能時間はそれぞれ、１６０秒、１２５秒となる。
【００４４】
なお、バッテリー必要量予測部１５は、通信ログに基づいて、電波補正係数を算出し、設定してもよい。例えば、通信ログ記憶部１３は、通信開始前のバッテリー残量と通信終了後のバッテリー残量とをさらに含む通信ログを蓄積する。そして、バッテリー必要量予測部１５は、通信ログから取得した通信時間と、通信時の電波状況、通信前後のバッテリー残量の差分とに基づいて、電波補正係数を算出してもよい。
【００４５】
すなわち、バッテリー必要量予測部１５は、基準となる通信環境（例えば、周囲温度：２０℃、電波状況：強レベル）におけるバッテリー１％あたりの通信可能時間と、通信環境の各要素の影響度（補正係数）とを用いて、例えば、以下の式（２）に基づいて通信環境でのバッテリー１％あたりの通信可能時間を算出する。なお、式（２）において、Ｔｅｎｖは通信環境でのバッテリー１％あたりの通信可能時間、Ｔｏは基準となる通信環境におけるバッテリー１％あたりの通信可能時間、αｅｎｖｉは通信環境の要素ｉ（ｉは、１〜Ｎの整数値）による通信可能時間の補正係数を示す。この基準となる通信環境におけるバッテリー１％あたりの通信可能時間Ｔｏ、通信環境の要素ｉによる通信可能時間の補正係数αｅｎｖｉは、バッテリー必要量予測部１５に予め設定されている。
Tenv=To×αenv1×αenv2×…×αenvN…(2)
【００４６】
このようにして補正したバッテリー１％あたりの通信可能時間、すなわち通信環境でのバッテリー１％あたりの通信可能時間を用いて、バッテリー必要量予測部１５は、例えば、以下の式（３）に基づいてバッテリー必要量を予測する。なお、式（３）において、Ｐはバッテリー必要量、τは予想通信時間、Ｔｅｎｖは通信環境でのバッテリー１％あたりの通信可能時間を示す。
P=τ/Tenv…(3)
【００４７】
図５の（ａ）は、通信端末１が、通信相手端末Ａに対して７時１５分に発信することを示す図である。図５の（ａ）に示すように、発信時、温度センサにより検出した周囲温度は７℃、電波センサにより検出した電波状況は強レベルである。この場合、バッテリー必要量予測部１５は、例えば、通信相手端末Ａとの７時〜８時の時間帯における平均通信時間を通信情報生成部１４から取得し、予想通信時間とする。ここで、７時〜８時の時間帯における通信相手端末Ａの所有者との平均通信時間が１１分であったとする。
【００４８】
次に、バッテリー必要量予測部１５は、発信時の通信端末１の通信環境におけるバッテリー１％あたりの通信可能時間を算出する。この通信可能時間は、周囲温度が７℃であるため常温のバッテリー１％あたりの通信可能時間に対して１５％減となり、電波状況が強レベルであるため電波による影響はない。したがって、発信時の通信端末１の通信環境におけるバッテリー１％あたりの通信可能時間は、常温で電波状況が強レベルのバッテリー１％あたりの通信可能時間が１５０秒に設定されているとすると、１２７．５秒と算出される。そして、バッテリー必要量予測部１５は、上述の式（３）により、予想通信時間と発信時の通信端末１の通信環境におけるバッテリー１％あたりの通信可能時間とに基づいてバッテリー必要量を予測する。その結果、バッテリー必要量は、５．２％と予測される。
【００４９】
図５の（ｂ）は、通信端末１が、通信相手端末Ａから７時１５分に着信を受けることを示す図である。この場合も、バッテリー必要量予測部１５は、図５の（ａ）の場合と同様にバッテリー必要量を算出する。
【００５０】
また、バッテリー必要量予測部１５は、通信部１１により通信が行われていない場合（非通信時）に、時間帯ごとの通信情報に基づいて、バッテリー必要量を予測してもよい。以下に、非通信時のバッテリー必要量の予測方法について説明する。バッテリー必要量予測部１５は、通信部１１により通信が行われているか否かの判断を定期的（例えば、１０分周期）に行う。
【００５１】
バッテリー必要量予測部１５は、通信が行われていないと判断すると、現在時刻が属する時間帯における通信相手全体に対する平均通信時間を通信情報生成部１４から取得する。あるいは、バッテリー必要量予測部１５は、通信相手ごとの平均通信時間のうち最大の平均通信時間を通信情報生成部１４から取得してもよい。そして、バッテリー必要量予測部１５は、取得した平均通信時間を予想通信時間として、上述の式（１）又は（３）に基づいて、非通信時のバッテリー必要量を予測する。この非通信時のバッテリー必要量は、非通信状態で必要なバッテリー必要量ではなく、仮に通信が行われた場合に必要となるであろうバッテリー必要量である。
【００５２】
バッテリー残量検出部１６は、バッテリー残量を検出するバッテリー残量検出手段として機能する。具体的には、バッテリー残量検出部１６は、従来から知られている方法を用いてバッテリー１０６の残量を検出する。バッテリー残量は、例えば、バッテリーの最大容量に対する割合（％）として検出される。そして、バッテリー残量検出部１６は、バッテリー残量を示す情報を通知部１７に送信する。
【００５３】
通知部１７は、バッテリー必要量予測部１５によって予測されたバッテリー必要量と、バッテリー残量検出部１６によって検出されたバッテリー残量と、に基づいて、所定の通知を行う通知手段として機能する。具体的には、通知部１７は、バッテリー残量がバッテリー必要量よりも少ない場合、バッテリー残量が不十分であると判断して、ディスプレイにバッテリー不足である旨を表示する。また、通信端末１が通信を行う場合は、通知部１７は、通信部１１を介して、例えばＳＭＳ（Short  Message  Service）によるメッセージを用いて通信相手端末にバッテリー不足である旨を通知してもよい。
【００５４】
この際、バッテリー不足の表示に代えて通信可能時間の表示を行ってもよく、バッテリー不足の表示とともに通信可能時間の表示を行ってもよい。この通信可能時間は、バッテリー必要量予測部１５によって算出された通信端末１の通信環境におけるバッテリー１％あたりの通信可能時間と、バッテリー残量検出部１６によって検出されたバッテリー残量と、に基づいて、例えば、以下の式（４）により算出される。なお、式（４）において、Ｔは通信可能時間、Ｔｅｎｖは通信環境でのバッテリー１％あたりの通信可能時間、Ｐｒはバッテリー残量を示す。
T=Pr×Tenv…(4)
【００５５】
通知部１７は、例えばポップアップにより「バッテリー不足（通話可能時間：１０分）」といった警告を表示する。また、通知部１７は、通信部１１を介して通信相手端末に通信端末１のバッテリー不足および通信可能時間の少なくともいずれかを通知するようにしてもよい。通信相手端末への通知は、アラーム又はガイダンスにより行うようにしてもよい。
【００５６】
通知部１７は、バッテリー残量検出部１６によって検出されたバッテリー残量が所定の値より小さい場合に、通信相手端末にバッテリー不足を通知するようにしてもよい。具体的には、通知部１７は、バッテリー残量が閾値Ｂｔｈより少なくなった場合、バッテリー不足のため通話が切断されてしまうと判断して、例えばＳＭＳによるメッセージを用いて通信相手端末にバッテリー不足を通知する。通知部１７は、例えば「バッテリー切れです。通話できる状態になるまでしばらくお待ちください。」等といったメッセージを通信相手端末に送信する。閾値Ｂｔｈは、ＳＭＳ等によって通信相手端末に通知を行うのに必要なバッテリーの必要量以上に設定すればよく、通話が切断される直前又は直後のバッテリー残量に設定するのが好ましい。
【００５７】
通知部１７は、発着信時以外であっても、バッテリー不足と判断した場合には、例えばポップアップにて充電を促すよう通知してもよい。通知部１７は、例えば、予め設定された周期（例えば、１０分周期）で、バッテリー必要量予測部１５によって予測された非通信時のバッテリー必要量とバッテリー残量とを比較する。そして、バッテリー残量が少ない場合、通知部１７は、例えば充電を促す通知を行う。すなわち、この通知は、非通信状態で必要なバッテリー必要量に基づいて行われるのではなく、仮に通信が行われた場合に必要となるであろうバッテリー必要量に基づいて行われる。
【００５８】
図６は、通信端末１の通信ログ蓄積処理を示すフローチャートである。本処理は、例えば、通信部１１による通信が終了した場合に行われる。まず、通信ログ記憶部１３は、通信部１１によって行われた通信に関する情報を取得する（Ｓ０１）。次に、通信ログ記憶部１３は、通信部１１によって行われた通信に係る通信相手端末が電話帳登録部１２に登録されているか否かの判定を行う（Ｓ０２）。
【００５９】
判定の結果、電話帳登録部１２に登録されていると判定された場合（Ｓ０２；Ｙｅｓ）、通信ログ記憶部１３は、通信相手（登録者）ごとに通信に関する情報を蓄積する（Ｓ０３）。そして、通信情報生成部１４は、通信相手ごとに平均通信時間を算出する（Ｓ０４）。Ｓ０４の処理において、通信情報生成部１４は、各時間帯における通信相手ごとの平均通信時間を算出してもよい。このＳ０４は、Ｓ０３の処理後の任意のタイミングで実施される。例えば、Ｓ０３の処理の直後に実施されてもよいし、一定周期で実施されてもよいし、一定量の通信ログが蓄積されるごとに実施されてもよい。
【００６０】
一方、Ｓ０２の判定において、電話帳登録部１２に登録されていないと判定された場合（Ｓ０２；Ｎｏ）、通信ログ記憶部１３は、未登録者として通信に関する情報を蓄積する（Ｓ０５）。そして、通信情報生成部１４は、未登録者全体の平均通信時間を算出する（Ｓ０６）。Ｓ０６の処理において、通信情報生成部１４は、各時間帯における未登録者全体の平均通信時間を算出してもよい。このＳ０６は、Ｓ０５の処理後の任意のタイミングで実施される。例えば、Ｓ０５の処理の直後に実施されてもよいし、一定周期で実施されてもよいし、一定量の通信ログが蓄積されるごとに実施されてもよい。
【００６１】
次に、図７を参照して、通信端末１の動作について説明する。図７は、通信端末１の通信開始時の通知処理を示すフローチャートである。まず、通信部１１は、通信相手端末と通信を開始する（Ｓ１１，通信ステップ）。次に、バッテリー残量検出部１６は、バッテリー残量を検出する（Ｓ１２，バッテリー残量検出ステップ）。また、バッテリー必要量予測部１５は、通信情報生成部１４によって算出された通信相手ごとの平均通信時間又は通信時間帯ごとの平均通信時間を取得する。そして、バッテリー必要量予測部１５は、取得した平均通信時間に基づいて、通信に必要なバッテリー必要量を予測する（Ｓ１３，バッテリー必要量予測ステップ）。
【００６２】
Ｓ１３の処理において、バッテリー必要量予測部１５は、周囲温度、電波状況等の通信環境を考慮してバッテリー必要量を予測してもよい。バッテリー必要量予測部１５は、例えば、温度センサから温度情報を取得し、電波センサから電波情報を取得する。次に、バッテリー必要量予測部１５は、上述の式（２）を用いて、通信環境におけるバッテリー１％あたりの通信可能時間を算出する。そして、バッテリー必要量予測部１５は、上述の式（３）を用いてバッテリー必要量を予測する。
【００６３】
次に、通知部１７は、Ｓ１３において予測されたバッテリー必要量がＳ１２において検出されたバッテリー残量より大きいか否かを判定する（Ｓ１４）。判定の結果、バッテリー残量がバッテリー必要量以上であると判定された場合（Ｓ１４；Ｎｏ）、通知部１７は、通知を行うことなく処理を終了する。一方、Ｓ１４の判定において、バッテリー残量がバッテリー必要量より少ないと判定された場合（Ｓ１４；Ｙｅｓ）、通知部１７は、所定の通知を行う（Ｓ１５，通知ステップ）。
【００６４】
通知部１７は、例えば、通信端末１のディスプレイにポップアップでバッテリー不足の表示を行う。また、通知部１７は、通信相手端末にバッテリー不足のガイダンスを表示する。この際、バッテリー不足の表示に代えて通話可能時間の表示を行ってもよく、バッテリー不足の表示とともに通話可能時間の表示を行ってもよい。なお、Ｓ１２の処理とＳ１３の処理は、いずれの順に行ってもよく、並行してもよい。また、本処理は、通信開始時だけでなく、通信中に行ってもよい。
【００６５】
図８は、通信端末１の他の通知処理を示すフローチャートである。本処理は、定期的（例えば、５分周期）に行われる。まず、バッテリー残量検出部１６は、バッテリー残量を検出する（Ｓ２１）。次に、通知部１７は、Ｓ２１において検出されたバッテリー残量が閾値Ｂｔｈ以上であるか否かの判定を行う（Ｓ２２）。判定の結果、バッテリー残量が閾値Ｂｔｈ以上であると判定された場合（Ｓ２２；Ｙｅｓ）、通知部１７は、通知を行うことなく処理を終了する。一方で、Ｓ２２の判定において、バッテリー残量が閾値Ｂｔｈ未満であると判定された場合（Ｓ２２；Ｎｏ）、通知部１７は、バッテリー不足により電源が切断される旨を通知する（Ｓ２３）。
【００６６】
通知部１７は、例えば、通信端末１のディスプレイにポップアップでバッテリー不足の表示を行う。また、通知部１７は、通信中であれば、ＳＭＳを用いて通信相手端末にバッテリー不足のメッセージを送信する。
【００６７】
次に、本実施形態の通信端末１の作用効果について説明する。通信端末１において、通信部１１は、通信相手の端末である通信相手端末との通信を行い、通信ログ記憶部１３は、通信相手又は通信の時間帯ごとに通信時間を示す情報を含む通信ログを蓄積する。また、バッテリー残量検出部１６は、バッテリー残量を検出し、バッテリー必要量予測部１５は、通信部１１によって行われる通信に係る通信相手の通信ログ又は通信部１１によって行われる通信の時間帯の通信ログに基づいて、通信に必要なバッテリー必要量を予測する。そして、通知部１７は、バッテリー必要量予測部１５によって予測されたバッテリー必要量と、バッテリー残量検出部１６によって検出されたバッテリー残量と、に基づいて、所定の通知を行う。
【００６８】
このように、通信端末１は、通信相手の通信ログ又は通信部１１によって行われる通信の時間帯の通信ログに基づいて、通信に必要なバッテリー必要量を予測し、予測されたバッテリー必要量とバッテリー残量とに基づいて、所定の通知を行うことができる。すなわち、通信端末１によれば、通信相手によって通信時間が異なる傾向がある場合に、通信相手に応じて通信に要するバッテリー必要量を予測し、予測したバッテリー必要量に基づいて、バッテリー不足などの通知を行うことができる。また、時間帯によって通信時間が異なる傾向がある場合に、通信時間帯に応じて通信に要するバッテリー必要量を予測し、予測したバッテリー必要量に基づいて、バッテリー不足などの通知を行うことができる。このため、通信端末１によれば、より適切にバッテリーに関する通知を行うことができる。
【００６９】
また、通信端末１において、バッテリー必要量予測部１５は、通信部１１によって発着信が行われる際に、バッテリー必要量を予測してもよい。この構成によれば、発着信の際にその発着信に係る通話に要するバッテリー必要量を予測し、予測したバッテリー必要量に基づいて、バッテリー不足などの通知を行うことができる。このため、発着信時に予めバッテリー不足などの通知を行うことができる。
【００７０】
また、通信端末１において、バッテリー必要量予測部１５は、通信環境を示す通信環境情報に基づいて、バッテリー必要量を予測してもよい。この構成によれば、通信環境に応じて通話に必要なバッテリー必要量を予測することができる。例えば、環境温度が低い環境では、常温環境と比較してバッテリーの通信可能時間が短くなる。また、電波状況が悪い環境では、電波状況が良好（強レベル）な環境と比較してバッテリーの通信可能時間が短くなる。このように、通信環境がバッテリーに及ぼす影響を考慮して、通信に必要なバッテリー必要量を予測することができる。
【００７１】
また、通信端末１において、予測されたバッテリー必要量と比較して、バッテリー残量が少ない場合に、通信可能時間を通知してもよい。この構成によれば、バッテリー必要量よりバッテリー残量が少ない場合に、ユーザに通信可能時間を認識させることができる。従って、ユーザに通信可能時間を意識させて通信を行わせることが可能となる。
【００７２】
また、通信端末１において、通知部１７は、バッテリー残量が所定の値より小さい場合に、通信相手端末にバッテリー不足を通知してもよい。この構成によれば、バッテリー残量不足により通信が切断される前に、通信相手端末にバッテリー不足を通知することができる。このため、バッテリー不足により通信が切断されたとしても、通信相手に切断理由を予め知らせておくことが可能となる。
【００７３】
また、通信端末１において、通信相手端末を登録する電話帳登録部１２をさらに備えてもよい。そして、通信相手端末が電話帳登録部１２に登録されていない場合、未登録端末として通信ログ記憶部１３に通信ログが蓄積されてもよく、バッテリー必要量予測部１５は、通信相手端末が電話帳登録部１２に登録されていない場合、未登録端末の通信ログに基づいて、バッテリー必要量を予測するようにしてもよい。この構成によれば、未登録の通信相手端末全体の通信ログに基づいて、未登録の通信相手端末との通信に必要なバッテリー必要量を予測することができる。このため、通信相手に係る通信ログが蓄積されていなかったとしても、通信に必要なバッテリー必要量を予測することができる。
【００７４】
また、通信端末１において、バッテリー必要量予測部１５は、通信部１１によって通信が行われていない場合、現在時刻が属する時間帯の通信ログに基づいて、バッテリー必要量を予測してもよい。この構成によれば、非通信時において、通信が行われた場合のバッテリー必要量を予測し、予測したバッテリー必要量に基づいて、バッテリー不足などの通知を行うことができる。従って、例えば、２１時以降に長時間通信を行う傾向がある場合に、通信途中で電源が切断されないように、非通信時に予めバッテリー不足などの通知を行っておくことができる。
【００７５】
なお、本発明に係る通信端末および通知方法は本実施形態に記載したものに限定されない。本発明に係る通信端末および通知方法は、各請求項に記載した要旨を変更しないように実施形態に係る通信端末および通知方法を変形し、又は他のものに適用してもよい。
【００７６】
例えば、上記実施形態において通信端末１では、通信相手又は通信の時間帯ごとに通信ログを通信ログ記憶部１３に蓄積しているが、全通信ログを区分せずに蓄積してもよい。この場合、通信情報生成部１４は、通信ログに含まれるいずれかの情報をキーとして通信ログを読み出すことで、必要な通信ログを取得することができる。
【００７７】
また、上記実施形態において通信端末１では、通信相手端末が電話帳登録部１２に登録されている場合、通信相手ごとに通信ログを蓄積しているが、通信相手端末ごとに通信ログを蓄積し、通信相手端末ごとに平均通信時間を算出してもよい。このようにすることで、通信相手端末ごとの通信ログを蓄積し、通信相手端末ごとの平均通信時間を算出することができる。そして、通信相手端末によって通信時間が異なる傾向がある場合に、バッテリーに関する通知をより適切に行うことが可能となる。
【００７８】
また、上記実施形態において通信端末１では、電話帳登録部１２に登録されていない場合、未登録端末として通信ログを蓄積しているが、電話帳登録部１２に登録されていない場合であっても、電話番号等の通信相手端末を識別可能な情報を用いて、通信相手端末ごとに通信ログを蓄積してもよい。このようにすることで、電話帳登録部１２への登録を行っていない通信相手端末であっても、通信相手端末の通信ログに基づいてバッテリー必要量を予測することができる。
【００７９】
また、上記実施形態において通信端末１では、通信ログ取得更新部１６が所定のタイミングで平均通信時間を算出しているが、バッテリー必要量予測部１５がバッテリー必要量を予測する際に、所望の平均通信時間を算出するようにしてもよい。
【００８０】
また、上記実施形態において通信端末１では、周囲温度、電波状況を考慮してバッテリー必要量を予測しているが、バッテリーに影響を及ぼす他の通信環境をさらに考慮してもよい。また、いずれか１つの通信環境のみを考慮してもよいし、複数の通信環境を複合的に考慮してバッテリー必要量を予測してもよい。
【００８１】
また、上記実施形態において通信端末１では、通知部１７は、ディスプレイに警告等を表示することにより通知を行っているが、これに限定されない。通知部１７は、例えば、不図示のスピーカにより音声でバッテリー不足等の警告を行ってもよい。
【符号の説明】
【００８２】
１…通信端末、１１…通信部（通信手段）、１２…電話帳登録部（端末登録手段）、１３…通信ログ記憶部（履歴記憶手段）、１４…通信情報生成部、１５…バッテリー必要量予測部（バッテリー必要量予測手段）、１６…バッテリー残量検出部（バッテリー残量検出手段）、１７…通知部（通知手段）、１０６…バッテリー。
【図１】
0005337833.tif 000002
【図２】
0005337833.tif 000003
【図３】
0005337833.tif 000004
【図４】
0005337833.tif 000005
【図５】
0005337833.tif 000006
【図６】
0005337833.tif 000007
【図７】
0005337833.tif 000008
【図８】
0005337833.tif 000009